(57)【要約】      （修正有）【課題】軟包装容器に収容した高粘度の内容物を、容易に絞り出せる絞り出し具を提供する。【解決手段】絞り出時は、絞り出し具１１と軟包装容器６１を垂直な配置として、軟包装容器６１（延出部６３ａまたは、延出部６３ｂ）を絞り出し具１１の案内スリット部（ＡＳＴ）に挿入する。案内スリット部（ＡＳＴ）は、開口端側が広く開放され奥すぼまりとなる傾斜で形成されているので挿入は容易で、且つスリット部（ＳＴ）である隙間空間内へ簡易的に誘導出来る。誘導した軟包装容器の延出部６３全体をスリット部（ＳＴ）へセットする。スリット部（ＳＴ）にセットした延出部６３（６３ａまたは６３ｂ）を片手で掴み、もう一方の手で絞り出し具１１の把持部を掴み、軟包装容器６１は手前側方向に引っ張り、絞り出し具１１は前方方向に押し出すように移動させることで、封入部６２内の内容物Ｎは、残存なくほぼ全量を良好に取り出すことができる。【選択図】図４
0003179037.tif 000002
【実用新案登録請求の範囲】
【請求項１】
樹脂シートからなる袋体に収容された内容物を前記袋体から絞り出すための絞り出し具
であって、把持部とその延長上にスリット部をそなえる絞り出し具。
【請求項２】
前記スリット部の開口部分は、向い合う板材をL字型に曲げ加工を施してあり、スリット部分の内側１〜７ｍｍは互いに面で向い合う形状を特徴とする請求項1に記載の絞り出し具。
【請求項３】
前記スリット部の先端にある案内スリット部は、先端に向かうに従って互いに離れる方向に傾斜していることを特徴とする請求項１または２に記載の絞り出し具。
【請求項４】
前記把持部の断面形状は円形または多角形で円形は直径４cm以内、多角形は円形と断面積が同じであることを特徴とする請求項１〜３項のいずれかに記載の絞り出し具。
【請求項５】
さらに前記把持部は軟包装容器の開封用カッタ部を有することを特徴とする請求項１〜４のいずれか１項に記載の絞り出し具。
【考案の詳細な説明】
【技術分野】
【０００１】
本考案は、搾り出し具に係り、特に、軟包装容器から流動性を有する内容物を良好に絞り出すことができる搾り出し具に関する。
【背景技術】
【０００２】
液状物やゲル状物などの流動性を有する内容物を密閉収容した軟包装容器が多く存在するが、内容物取り出しの際、内容物の残留物が残り易く、且つ絞り出しが充分に行える状況だった。内容物を残存しないよう良好に絞り出すための絞り出し具と軟包装容器について特許文献１に記載されている。
特許文献１に記載された絞り出し具及び軟包装容器の概略は次のとおりである。
絞り出し具は、軸と、その軸の末端部に設けられた円盤状の顎部と、その顎部に設けられた把持部と、を備えており、軸は、一端が開放して軸を松葉形状とするスリット部、又は、軸の長手方向途中に貫通部として形成されたスリット部を有して形成されている。
軟包装容器は、内容物を収容する本体部の一端側に設けられた注出口と、本体部における注出口とは反対側において外方に延出するよう形成されたフィルム状の延出部と、を有している。
この絞り出し具によって軟包装容器の内容物を絞り出す際には、軸のスリット部に軟包装容器の延出部を差し込み、把持部を手（指）で掴み軸を軸線回りに回転させて軟包装容器を巻き取る。これにより、内容物を注出口から絞り出せるようになっている。
【先行技術文献】
【特許文献】
【０００３】
【特許文献１】特開２００９−１６６８８８号広報
【考案の概要】
【考案が解決しようとする課題】
【０００４】
軟包装容器の利用用途が拡大するに伴い、工業用品の軟包装化が検討されてきている。例えば、従来主流の食材や薬剤などと比べて高粘度の印刷インキの軟包装化である。
高粘度の内容物を収容した軟包装容器の取り扱いは、低粘度の内容物とした軟包装容器に比べ、必ずしも容易なものとは言えない。
【０００５】
そこで、本考案が解決しようとする課題は、軟包装容器の内容物を容易に且つ残量物を残さず良好に絞り出せる絞り出し具を提供することにある。
【課題を解決するための手段】
【０００６】
上記の課題を解決するために、本考案は次の構成を有する。
１）樹脂シートからなる袋体に収容された内容物(N)を前記袋体(61)から絞り出すための絞り出し具であって、
長手方向に延在する図１（a）{中央より左側}のスリット部(ＳＴ)と図１（a）{中央より右側}把持部(ＨＤ)を備え、前記スリット部(ＳＴ)の隙間は、ほぼ一定間隔（１〜７ｍｍ）で形成されている事を特徴とする絞り出し具である。
２）前記スリット部(ＳＴ)左端に、案内スリット部(ＡＳＴ)を有し、外側(左端)に向かう程、隙間間隔が大きくなるよう形成されている。
３）前記把持部(ＨＤ)は、断面{図１（ｂ）}から見ると6角形や円形等で作業者が、手で掴み(握り)易い形状である事を特徴とする絞り出し具である。
【考案の効果】
【０００７】
本考案によれば、軟包装の内容物を容易で良好に絞り出せる、という効果が得られる。
【図面の簡単な説明】
【０００８】
【図１】本考案の絞り出し具の実施例を説明するための平面図(a)及び断面図(b)であ            る。
【図２】本考案の絞り出し具の実施例を説明するための側面図(c)及び断面図(d)であ            る。
【図３】本考案の絞り出し具の実施例で絞り出しを行う軟包装容器を説明するための平          面図及び側面図である。
【図４】本考案の絞り出し具の実施例で絞り出しを行う手順を説明する第１の図であ            る。
【図５】本考案の絞り出し具の実施例で絞り出しを行う手順を説明する第２の図であ            る。
【図６】本考案の絞り出し具の実施例で絞り出しを行う手順を説明する第３の図であ            る。
【図７】本考案の絞り出し具の実施例で容器開封のためのカット機能手順を説明する図          である。
【図８】本考案の絞り出し具の実施例における変形例を説明するための平面図(e)び断          面図(f)である。
【図９】本考案の絞り出し具の実施例における変形例を説明するための側面図(g)び断          面図(h)である。
【考案を実施するための形態】
【０００９】
本考案の実施の形態を、好ましい実施例により図１〜図８を用いて説明する。
【００１０】
本考案の絞り出し具の実施例である絞り出し具１１を、図１及び図２を参照して説明する。図１(a)は、絞り出し具１１の平面図であり、図１(ｂ)は、図１(a)における断面図である。図２(c)は、図１(a)において矢印YS１で示される方向から見た側面図であり、図２(d)は、図２(c)における断面図である。
以下の説明において、絞り出し具１１の上下左右の各方向は、便宜的に図１、図２で示される方向として規定する。
【００１１】
絞り出し具１１は、概略、左右方向に長尺になる左側のスリット部ＳＴと右側の把持部ＨＤを有して構成されている。
【００１２】
各部材について、詳述する。
絞り出し具１１は、金属の板材または金属やプラスチックの筒材等で形成されている。
スリット部ＳＴには、所定の幅H１なる隙間空間Vを有しており、左端には案内スリット部ASTを有している。隙間空間Vには、絞り出し具１１の使用時に、軟包装容器６１の端部である延長部６３（６３aまたは６３b）が挿入される。
【００１３】
スリット部ＳＴの詳細を説明すると、隙間空間Ｖの隙間幅Ｈ１は、ほぼ均一である。
スリット部ＳＴの幅Ｈ１は、絞り出し対象の軟包装容器(樹脂シートの)厚みにより、適切な値をとっている。
スリット部ＳＴ左端の案内スリット部ＡＳＴは、左端側に向かう程、隙間空間が広がっている。
【００１４】
把持部HDの詳細を説明すると、使用者の要望によっては軟包装容器開封用にカッター部４aを設ける事も可能である。カッター部４aは、カッター刃４ｂ、カッター固定板４ｃ、カッター固定ネジ４ｄを有して構成されている。
【００１５】
次に、この絞り出し具１１を用いて軟包装容器からの内容物を絞り出す絞り出し作業について説明する。
図３（ａ）、（ｂ）、（ｃ）を用いて絞り出し具１１を適用する軟包装容器６１を説明する。図３（ａ）は軟包装容器６１の平面図、図３（ｂ）は軟包装容器６１の背面図であり、図３（ｃ）は軟包装容器６１の側面図である。いずれも、流動性を有する内容物Ｎを封入した状態が示される。内容物Ｎは、例えば印刷インキである。
軟包装容器６１は、樹脂シートから形成され、上下を熱溶着によりシール部６３として内容物Ｎを封入してなる袋状の容器（袋体）である。より詳しくは、軟包装容器６１は、外形形状が例えば矩形とされ、内容物が収められた封入部６２と、その上下に熱溶着されてなるシール部６３と図３(ｂ)の背シール部Ｍを有している。以下、軟包装容器６１の外形形状は矩形のものを説明するが、矩形に限定されるものではない。
シール部６３は、熱溶着された背シール部Ｍと上下端の延出部６３a、６３ｂを有して形成されている。
延出部６３a、６３ｂが形成された辺の幅をＬｂとすると、スリット部（ＳＴ）の１ｄ１、１ｄ２間の距離を距離Ｌaと比較して、Ｌｂ＜Ｌａと設定されている。
スリット部ＳＴにおける、距離Ｌa、幅Ｈ１は、軟包装容器６１の熱溶着されたシール部６３の延出部６３a、６３ｂの厚さよりもわずかに大きく、内容物Nが収められた封入部６２より小さく設定されているとよい。
【００１６】
次に、軟包装容器６１に絞り出し具１１を取り付ける具体的方法例を、図４〜図６を参照しながら代表的な２つの段階（第１〜第２段階）で説明する。
図４（a）、図５（a）、図６（a）は平面図であり、図４（ｂ）、図５（ｂ）、図６（ｂ）は、図４（a）、図５（a）、図６（a）で示される各段階に対応した断面図である。
【００１７】
（第１段階）＜図４（a）,（b）、図５(a)，（ｂ）参照＞
図４（a）で示される平面図で絞り出し具１１と軟包装容器６１を垂直な配置として、軟包装容器６１(延出部６３aまたは、延出部６３ｂ)をしろ抜け矢印方向に絞り出し具１１の案内スリット部(ＡＳＴ)に挿入する。図５(a)、(b)で示される案内スリット部(ＡＳＴ)は、開口端側が広く開放され奥すぼまりとなる傾斜で形成されているので挿入は容易で、且つスリット部(ＳＴ)である隙間空間Ｖ内へ簡易的に誘導出来る。誘導した軟包装容器の延出部６３全体(６３ｃから６３ｄ)をスリット部（ＳＴ）へセットする。
（第２段階）＜図６（a）、（ｂ）参照＞
スリット部(ＳＴ)にセットした延出部６３（６３aまたは６３ｂ）を片手で掴み、もう一方の手で絞り出し具１１の把持部HDを掴み、軟包装容器６１は手前側（白抜け矢印）方向に引っ張り、絞り出し具１１は前方（黒塗り矢印）方向に押し出すように移動させることで、封入部６２内の内容物Nは、残存なくほぼ全量を良好に取り出すことができる。
【００１８】
図７を用いてカッター機能について説明する。
把持部ＨＤにカッター部４aを搭載することで、容易に軟包装容器を開封することが可能になる。具体的には、図７の軟包装容器６１の延出部６３（６３aまたは６３ｂ）を案内スリット部ＡＳＴより挿入し軟包装容器６１をカッター部４aを白抜け矢印方向に移動通過させることで、容易に軟包装容器６１の開封線ＬＮ１を開封することが出来る。
【００１９】
図８（e）は、実施例の絞り出し具１１の変形例である絞り出し具２１を説明するための外観図であり、図８（f）は、図８（e）における断面図である。絞り出し具２１における絞り出し具１１に対しての相違点としては、絞り出し具１１の断面が6角形（実際には6角形にこだわらない）の構成に対し、絞り出し具２１は筒型{図８（f）}で構成されている。
絞り出し具２１の各部の説明として、絞り出し具１１のスリットＳＴ、把持部HD、誘導部１a、１ｂに相当するスリット部ＳＴ２、把持部HD２、誘導部２a、２ｂ等から構成されている。
【００２０】
これらの構成により、絞り出し具２１は、絞り出し具１１と同様の効果を発揮する。従って封入部６２内の内容物Ｎは、残存が少なく良好に取り出すことが出来る。
【００２１】
本考察の実施例は、上述した構成に限定されるものではなく、本考察の要旨を逸脱しない範囲において変形例としても良いのは言うまでもない。
各部材は、金属で形成されているものに限らない。樹脂材の射出成形等により形成されていても良い。
本考案の絞り出し具は、高粘度の印刷インキだけでなく食材、薬剤、工業材料にも適用可能である。
軟包装容器とは、パウチ容器、ロケット包装容器、チューブ容器が含まれる。
【符号の説明】
【００２２】
１  本体部材
１a ，１ｂ  案内スリット開口部、１ｄ１  立ち上げ部、１ｄ２  中間部
２a ，２ｂ  案内スリット開口部、２ｄ１  立ち上げ部、２ｄ２  中間部
４a  カッター部、４ｂ  カッタの刃、４ｃ  カッタ押さえ板、４ｄ  カッタ固定ねじ        部
１１２１  軟包装ンキ絞り出し具
６１  軟包装容器
６２  封入部、６３  横シール部、６３a，６３ｂ  延出部
ＡＳＴ，ＡＳＴ２  案内スリット部、ＳＴ，ＳＴ２ スリット部
Ｈ１、Ｈ２  幅、ＨＤ  把持部
ＬＮ１  開封線
N 内容物
Ｍ  縦シール部
ＹＳ１  矢印（矢視方向）
【図１】
0003179037.tif 000003
【図２】
0003179037.tif 000004
【図３】
0003179037.tif 000005
【図４】
0003179037.tif 000006
【図５】
0003179037.tif 000007
【図６】
0003179037.tif 000008
【図７】
0003179037.tif 000009
【図８】
0003179037.tif 000010
【図９】
0003179037.tif 000011